(57)【要約】【課題】  光記録媒体からの反射光をホログラム素子を用いて分割させる光ピックアップの製造工程において、ホログラム素子の位置を容易に、かつ、正確に調整することができる光ピックアップ調整装置を提供する。【解決手段】  多分割受光素子が配置される位置に配置された撮像素子１５と、撮像素子１５によって撮像されたホログラム素子１０によって分割された各光束の像に基づいてこの撮像素子１５における多分割受光素子の受光部に相当する領域において受光される光束の光強度分布を演算する演算手段１６とを備える。演算手段１６による演算結果に基づいて、ホログラム素子１１の一方の領域を経た光束の光強度と他方の領域を経た光束の光強度とが互いに等しくなるように、このホログラム素子１１のラジアル方向の位置を調整する。【選択図】  図３
2006302455.tif 000002
【特許請求の範囲】
【請求項１】
光源から発せられビームスプリッタを経た光束を対物レンズによって記録トラックを有する光記録媒体に照射し、この光記録媒体からの反射光を前記ビームスプリッタにより前記光源に戻る光路より分岐させ、この反射光を中央で２領域に分割されたホログラム素子に通すことによって、前記記録トラックに対するラジアル方向に複数の光束に分割するとともに、これら分割された各光束を前記光源に対する共役点よりも前側位置または後側位置においてそれぞれ集光させ、これら各光束を前記光源に対する共役点に配置した多分割受光素子によって受光し、スポットサイズ方式のフォーカス検出及びプッシュプル信号の検出を行うようにした光ピックアップの調整装置であって、
前記多分割受光素子が配置される位置に配置された撮像素子と、
前記撮像素子によって撮像された前記ホログラム素子によって分割された各光束の像に基づいて、この撮像素子における前記多分割受光素子の受光部に相当する領域において受光される光束の光強度分布を演算する演算手段とを備え、
前記演算手段による演算結果に基づいて、前記ホログラム素子の一方の領域を経た光束の光強度と他方の領域を経た光束の光強度とが互いに等しくなるように、このホログラム素子の前記ラジアル方向の位置を調整する
ことを特徴とする光ピックアップ調整装置。
【請求項２】
光源から発せられビームスプリッタを経た光束を対物レンズによって記録トラックを有する光記録媒体に照射し、この光記録媒体からの反射光を前記ビームスプリッタにより前記光源に戻る光路より分岐させ、この反射光を中央で２領域に分割されたホログラム素子に通すことによって、前記記録トラックに対するラジアル方向に複数の光束に分割するとともに、これら分割された各光束を前記光源に対する共役点よりも前側位置または後側位置においてそれぞれ集光させ、これら各光束を前記光源に対する共役点に配置した多分割受光素子によって受光し、スポットサイズ方式のフォーカス検出及びプッシュプル信号の検出を行うようにした光ピックアップの調整装置であって、
前記多分割受光素子が配置される位置に配置された撮像素子と、
前記撮像素子によって撮像された前記ホログラム素子によって分割された各光束の像に基づいて、これら光束の光強度分布を演算する演算手段とを備え、
前記演算手段による演算結果に基づいて、前記各光束の強度分布の中心が略一直線上に位置するように、前記ホログラム素子の前記ラジアル方向に直交する方向の位置を調整する
ことを特徴とする光ピックアップ調整装置。
【請求項３】
光源から発せられビームスプリッタを経た光束を対物レンズによって記録トラックを有する光記録媒体に照射し、この光記録媒体からの反射光を前記ビームスプリッタにより前記光源に戻る光路より分岐させ、この反射光を中央で２領域に分割されたホログラム素子に通すことによって、前記記録トラックに対するラジアル方向に複数の光束に分割するとともに、これら分割された各光束を前記光源に対する共役点よりも前側位置または後側位置においてそれぞれ集光させ、これら各光束を前記光源に対する共役点に配置した多分割受光素子によって受光し、スポットサイズ方式のフォーカス検出及びプッシュプル信号の検出を行うようにした光ピックアップの調整装置であって、
前記多分割受光素子が配置される位置に配置された撮像素子と、
前記撮像素子によって撮像された前記ホログラム素子によって分割された各光束の像に基づいて、これら光束の光強度分布の重心位置を演算する演算手段とを備え、
前記演算手段による演算結果に基づいて、前記各光束の強度分布の重心位置が、前記多分割受光素子の受光部に相当する領域の配列方向に平行な略一直線上に位置するように、前記ホログラム素子の前記ラジアル方向に直交する方向の位置を調整する
ことを特徴とする光ピックアップ調整装置。
【発明の詳細な説明】
【技術分野】
【０００１】
本発明は、光記録媒体からの反射光をホログラム素子を用いて分割させる光ピックアップの製造工程において、ホログラム素子の位置の調整に使用される光ピックアップ調整装置に関する。
【背景技術】
【０００２】
従来、光ディスクの如き光記録媒体が提案され、このような光記録媒体に対して情報信号の記録または再生を行うための光ピックアップが提案されている。この光ピックアップは、光源と、この光源から発せられた光束を光記録媒体上に照射する光学デバイスとを有して構成され、また、光記録媒体からの反射光を検出するように構成されている。
【０００３】
そして、このような光ピックアップとして、光源から発せられビームスプリッタを経た光束を対物レンズによって記録トラックを有する光記録媒体に照射するとともに、この光記録媒体からの反射光をビームスプリッタにより光源に戻る光路より分岐させ、ホログラム素子を介して検出するように構成されたものが提案されている。
【０００４】
このような光ピックアップにおいて、ホログラム素子は、中央で２領域に分割されており、光記録媒体からの反射光がこれら２領域のそれぞれを透過するように構成されている。このホログラム素子において、光記録媒体からの反射光は、光記録媒体における記録トラックに対するラジアル方向に複数の光束に分割される。このように分割された各光束は、光源に対する共役点よりも前側位置または後側位置においてそれぞれ集光される。
【０００５】
この光ピックアップにおいては、光源に対する共役点に、多分割受光素子が配置されている。この多分割受光素子は、複数の受光部を有し、これら受光部において、ホログラム素子によって分割された各光束を受光する。そして、これら複数の受光部からの光検出信号に基づいて、スポットサイズ方式によるフォーカスエラー信号の検出や、トラッキングエラー信号としてのプッシュプル信号の検出が行われる。
【０００６】
このような光学ピックアップの製造工程においては、多分割受光素子の各受光部が受光する光束の強度バランスを保つことが重要である。そのため、光学ピックアップの製造工程においては、多分割受光素子の位置調整が行われている。多分割受光素子の位置をホログラム素子によって分割された各光束に対する所定位置に調整することによって、各受光部が対応する光束を受光するようにするためである。この多分割受光素子の位置調整は、各受光部から光検出出力を観察することによって、これら出力がバランスするように行っていた。
【０００７】
そして、従来の光学ピックアップにおいては、特許文献１に記載されているように、ホログラム素子については、基準位置に対する機械精度によって位置決めしており、多分割受光素子の各受光部からの光検出出力に基づく位置調整は行っていなかった。
【０００８】
【特許文献１】特開２００４−４６９７０公報
【発明の開示】
【発明が解決しようとする課題】
【０００９】
ところで、前述のような光学ピックアップにおいては、ホログラム素子に入射する反射光の光強度分布は、対物レンズの位置に関係して変化する。したがって、例えば、「ＤＶＤ−Ｒ」や「ＤＶＤ−ＲＷ」用の光学ピックアップのように、プッシュプル信号のバランス精度を厳しく管理する必要がある場合には、ホログラム素子の位置を、光記録媒体からの反射光に基づいて高精度に調整する必要が生ずる。
【００１０】
また、光記録媒体にける記録トラックをなす溝の深さが、光記録媒体に照射される光の波長（λ）の１／４から隔たっていると、反射光のファーフィールドパターンが点対称にならない。すると、この反射光にけられが生じた場合には、ビットの始まりの検出波形とビットの終わりの検出波形が同じでなくなり、データ変換点がアンバランスとなるので、特性として許容できないジッタ劣化が発生する。
【００１１】
そこで、本発明は、前述の実情に鑑みて提案されるものであって、光記録媒体からの反射光をホログラム素子を用いて分割させる光ピックアップの製造工程において、ホログラム素子の位置を容易に、かつ、正確に調整することができる光ピックアップ調整装置を提供しようとするものである。
【課題を解決するための手段】
【００１２】
前述の課題を解決し、前記目的を達成するため、本発明に係る光ピックアップ調整装置は、以下の構成のいずれか一を有している。
【００１３】
〔構成１〕
光源から発せられビームスプリッタを経た光束を対物レンズによって記録トラックを有する光記録媒体に照射し、この光記録媒体からの反射光をビームスプリッタにより光源に戻る光路より分岐させ、この反射光を中央で２領域に分割されたホログラム素子に通すことによって、記録トラックに対するラジアル方向に複数の光束に分割するとともに、これら分割された各光束を光源に対する共役点よりも前側位置または後側位置においてそれぞれ集光させ、これら各光束を光源に対する共役点に配置した多分割受光素子によって受光し、スポットサイズ方式のフォーカス検出及びプッシュプル信号の検出を行うようにした光ピックアップの調整装置であって、多分割受光素子が配置される位置に配置された撮像素子と、撮像素子によって撮像されたホログラム素子によって分割された各光束の像に基づいてこの撮像素子における多分割受光素子の受光部に相当する領域において受光される光束の光強度分布を演算する演算手段とを備え、演算手段による演算結果に基づいて、ホログラム素子の一方の領域を経た光束の光強度と他方の領域を経た光束の光強度とが互いに等しくなるように、このホログラム素子のラジアル方向の位置を調整することを特徴とするものである。
【００１４】
〔構成２〕
光源から発せられビームスプリッタを経た光束を対物レンズによって記録トラックを有する光記録媒体に照射し、この光記録媒体からの反射光をビームスプリッタにより光源に戻る光路より分岐させ、この反射光を中央で２領域に分割されたホログラム素子に通すことによって、記録トラックに対するラジアル方向に複数の光束に分割するとともに、これら分割された各光束を光源に対する共役点よりも前側位置または後側位置においてそれぞれ集光させ、これら各光束を光源に対する共役点に配置した多分割受光素子によって受光し、スポットサイズ方式のフォーカス検出及びプッシュプル信号の検出を行うようにした光ピックアップの調整装置であって、多分割受光素子が配置される位置に配置された撮像素子と、撮像素子によって撮像されたホログラム素子によって分割された各光束の像に基づいてこれら光束の光強度分布を演算する演算手段とを備え、演算手段による演算結果に基づいて、各光束の強度分布の中心が略一直線上に位置するように、ホログラム素子のラジアル方向に直交する方向の位置を調整することを特徴とするものである。
【００１５】
〔構成３〕
光源から発せられビームスプリッタを経た光束を対物レンズによって記録トラックを有する光記録媒体に照射し、この光記録媒体からの反射光をビームスプリッタにより光源に戻る光路より分岐させ、この反射光を中央で２領域に分割されたホログラム素子に通すことによって、記録トラックに対するラジアル方向に複数の光束に分割するとともに、これら分割された各光束を光源に対する共役点よりも前側位置または後側位置においてそれぞれ集光させ、これら各光束を光源に対する共役点に配置した多分割受光素子によって受光し、スポットサイズ方式のフォーカス検出及びプッシュプル信号の検出を行うようにした光ピックアップの調整装置であって、多分割受光素子が配置される位置に配置された撮像素子と、撮像素子によって撮像されたホログラム素子によって分割された各光束の像に基づいてこれら光束の光強度分布の重心位置を演算する演算手段とを備え、演算手段による演算結果に基づいて、各光束の強度分布の重心位置が、多分割受光素子の受光部に相当する領域の配列方向に平行な略一直線上に位置するように、ホログラム素子のラジアル方向に直交する方向の位置を調整することを特徴とするものである。
【発明の効果】
【００１６】
本発明に係る光ピックアップ調整装置においては、ホログラム素子によって分割された各光束を多分割受光素子が配置される位置に配置された撮像素子によって撮像し、この撮像素子における多分割受光素子の受光部に相当する領域において受光される光束の光強度分布を演算し、この演算結果に基づいて、ホログラム素子の一方の領域を経た光束の光強度と他方の領域を経た光束の光強度とが互いに等しくなるように、このホログラム素子のラジアル方向の位置を調整するので、多分割受光素子の各受光部からの光検出出力のＤＣバランスを調整することができ、ＭＰＰバランスなどのプッシュプル（ＰＰ）関連信号の特性が最適化される調整を行うことができる。
【００１７】
また、本発明に係る光ピックアップ調整装置においては、ホログラム素子によって分割された各光束を多分割受光素子が配置される位置に配置された撮像素子によって撮像し、これら光束の光強度分布を演算し、この演算結果に基づいて、各光束の強度分布の中心が略一直線上に位置するように、ホログラム素子のラジアル方向に直交する方向の位置を調整するので、ホログラム素子によって分割された各光束の配列の直線性を光量分布の上下バランスに基づいて調整することができ、多分割受光素子の受光部からのはみ出しによるけられを管理でき、良好なジッタ特性を有する光学ピックアップに調整することができる。
【００１８】
さらに、本発明に係る光ピックアップ調整装置においては、ホログラム素子によって分割された各光束を多分割受光素子が配置される位置に配置された撮像素子によって撮像し、これら光束の光強度分布の重心位置を演算し、この演算結果に基づいて、各光束の強度分布の重心位置が、多分割受光素子の受光部に相当する領域の配列方向に平行な略一直線上に位置するように、ホログラム素子のラジアル方向に直交する方向の位置を調整するので、ホログラム素子によって分割された各光束の配列の直線性を光量分布の重心に基づいて調整することができ、多分割受光素子の受光部からのはみ出しによるけられを管理でき、良好なジッタ特性を有する光学ピックアップに調整することができる。
【００１９】
すなわち、本発明は、光記録媒体からの反射光をホログラム素子を用いて分割させる光ピックアップの製造工程において、ホログラム素子の位置を容易に、かつ、正確に調整することができる光ピックアップ調整装置を提供することができるものである。
【発明を実施するための最良の形態】
【００２０】
以下、本発明を実施するための最良の形態について、図面を参照しながら説明する。
【００２１】
図１は、本発明に係る光ピックアップ調整装置により製造される光ピックアップの構成を示す斜視図である。
【００２２】
この光ピックアップは、この実施の形態においては、「ＤＶＤ」規格の光ディスク及び「ＣＤ」規格の光ディスクのいずれに対しても、情報信号の記録または再生が行えるように構成されている。この光ピックアップにおいては、図１に示すように、「ＤＶＤ」用の光源となる半導体レーザ１から出射されたレーザ光束は、グレーティング２を経て、偏光ビームスプリッタ（ＰＢＳ）３を透過する。このレーザ光束は、直線偏光となっており、偏光ビームスプリッタ３の偏光反射面に対するＰ偏光となっている。なお、偏光ビームスプリッタ３において反射されたレーザ光束の一部は、ＦＰＣ（Front Power Control）用モニタダイオード５によって受光される。偏光ビームスプリッタ３を透過したレーザ光束は、コリメータレンズ４に入射し、このコリメータレンズ４により平行光束となされる。
【００２３】
コリメータレンズ４により平行光束となされたレーザ光束は、ダイクロイックミラー６及び立ち上げミラー７によって反射され、〔λ／４〕板（四分の一波長板）８を透過して円偏光となり、対物レンズ９に入射される。この対物レンズ９は、入射されたレーザ光束を、図示しない「ＤＶＤ」規格の光ディスクの信号記録面上に集光して照射する。
【００２４】
「ＤＶＤ」規格の光ディスクの信号記録面上に集光して照射されたレーザ光束は、信号記録面上のビットやマークにより、強度変調、または、偏光変調を受けて反射される。この反射光は、対物レンズ９、〔λ／４〕板８を透過し、立ち上げミラー７及びダイクロイックミラー６によって反射され、コリメータレンズ４によって収束光となされて、偏光ビームスプリッタ３に戻る。このとき、この反射光は、直線偏光となっており、偏光ビームスプリッタ３の偏光反射面に対するＳ偏光となっている。この反射光は、偏光ビームスプリッタ３の偏光反射面によって反射されて、半導体レーザ１に戻る光路より分岐され、ホログラム素子１０を経て、多分割受光素子１１によって受光される。この多分割受光素子１１は、複数の受光部を有しており、これら受光部からの光検出出力に基づいて、「ＤＶＤ」規格の光ディスクからの読み取り信号及び種々のエラー信号が生成される。
【００２５】
また、この光学ピックアップは、「ＣＤ」用の受発光ユニット１２を備えている。この受発光ユニット１２は、光源となる半導体レーザ素子、受光素子、ビームスプリッタなどを有して一体的に構成されている。この受発光ユニット１２から出射されたレーザ光束は、コリメータレンズ１３によって平行光束となされる。このレーザ光束は、ミラー１４により反射され、ダイクロイックミラー６を透過し、立ち上げミラー７によって反射されて、〔λ／４〕板８を透過して円偏光となり、対物レンズ９に入射される。この対物レンズ９は、入射されたレーザ光束を、図示しない「ＣＤ」規格の光ディスクの信号記録面上に集光して照射する。
【００２６】
「ＣＤ」規格の光ディスクの信号記録面上に集光して照射されたレーザ光束は、信号記録面上のビットやマークにより、強度変調を受けて反射される。この反射光は、対物レンズ９、〔λ／４〕板８を透過し、立ち上げミラー７によって反射され、ダイクロイックミラー６を透過する。この反射光は、ミラー１４によって反射され、コリメータレンズ４によって収束光となされて、受発光ユニット１２に戻る。この受発光ユニット１２において、光ディスクからの反射光は、受光素子によって受光される。この受光素子からの光検出出力に基づいて、「ＣＤ」規格の光ディスクからの読み取り信号及び種々のエラー信号が生成される。
【００２７】
図２は、ホログラム素子における光路を示す側面図である。
【００２８】
「ＤＶＤ」規格の光ディスクからの反射光が透過する前述したホログラム素子１０は、図２に示すように、ホログラム膜１０ａと凹レンズ１０ｂとが貼り合わされて構成されている。ホログラム膜１０ａは、中央において、光ディスクの記録トラックに対するラジアル方向に対応する方向に２領域に分割されている。これら２領域のうちの一方の領域は、±０．８度で±１次光を形成するように形成されており、他方の領域は、±２．４の回折角度で±１次光を形成するように形成されている。
【００２９】
このホログラム素子１０において、反射光は、ホログラム膜１０ａ及び凹レンズ１０ｂを透過することにより、光ディスクの記録トラックに対するラジアル方向に対応する方向に、複数（４本）の光束に分割される。これら分割された各光束は、半導体レーザ１の発光点に対する共役点よりも前側位置、または、後側位置においてそれぞれ集光される。そして、この光ピックアップにおいては、これら各光束を、半導体レーザ１の発光点に対する共役点に配置した多分割受光素子１１の４つの受光部によって受光し、スポットサイズ（ＳＳＤ）方式のフォーカス検出及びプッシュプル（ＰＰ）信号の検出が行われる。
【００３０】
すなわち、スポットサイズ方式のフォーカス信号は、図２中のＬ１及びＲ１、または、Ｌ２及びＲ２のように、前後（Ｚ軸方向）に合焦位置が異なるコンブリメントな光束をそれぞれ受光し、これら光束の光検出出力の差をとることによって得られる。また、プッシュプル信号は、図２中のＬ１及びＲ２、または、Ｌ２及びＲ１のように、ホログラム膜１０ａにおいて回折パターンが異なる２つの領域を透過して分割された光束をそれぞれ受光し、これら光束の光検出出力の差をとることによって得られる。このように、所定の受光部からの光検出信号を差動演算することにより、引き込み中点で０となり誤差の発生で＋／−の極性となる各エラー信号が得られる。
【００３１】
光ピックアップの特性としては、差動演算する２つの光検出出力のＤＣレベルが揃っていて、直流成分が０となるようなバランスが必要であり、このような特性は、光学ピックアップの製造工程においては、「ＰＤバランス」（受光部のバランス）、「ＭＰＰバランス」、「ＳＰＰバランス」などの検査項目によって管理されている。
【００３２】
このような特性を満足させるためには、光ディスクからの反射光のファーフィールドパターンを左右に分割する分割線、すなわち、多分割受光素子１１における受光部の位置、または、ホログラム素子１０における各領域の分割線を、反射光のファーフィールドパターンの中心に一致させる必要がある。
【００３３】
この光学ピックアップにおいては、ホログラム素子１０によって反射光を分割しているため、光ディスクの信号記録面に対物レンズ９の焦点を合わせた状態で、ホログラム素子１０の領域分割線の位置を調整することによって、多分割受光素子１１に入射する光束の光強度分布のバランスをあわせる必要がある。
【００３４】
なお、多分割受光素子１１は、ホログラム素子１０によって分割された光束をもれなく受光する役割を有しており、この多分割受光素子１１の位置を調整しても、擬似的な最適点がいくつも現れてしまうため、この多分割受光素子１１の位置調整によっては、「ＰＤバランス」等を調整することはできない。
【００３５】
そこで、本発明においては、ホログラム素子１０を経た光束が形成するスポットパターンを、撮像素子（ＣＣＤカメラ）によって撮像し、撮像された画面上のスポット強度（光強度）について演算処理を行い、光ディスクの記録トラックに対するラジアル方向に対応する方向（図２における左右方向）についてのスポット強度の総和が一致するように、ホログラム素子１０の位置を調整するようにしている。
【００３６】
図３は、本発明に係る光ピックアップ調整装置によりホログラム素子の位置を調整する状態における構成を示すブロック図である。
【００３７】
本発明に係る光ピックアップ調整装置において、ホログラム素子１０の位置調整を行うときには、光ピックアップの半導体レーザ１を発光させ、光ディスクに相当する位置に反射ミラーを設置する。この反射ミラーの表面に対物レンズ９からの出射光を合焦させ、光ディスクから情報信号を読取るときと同様の往路光学系を形成する。反射ミラーからの反射光は、復路光学系を通じて、コリメータレンズ４によって集光され、偏光ビームスプリッタ３を経て、ホログラム素子１０に入射される。
【００３８】
そして、図３に示すように、多分割受光素子１１の受光部が設置される位置の空間像を拡大する拡大レンズ２０を介して、ホログラム素子１０を経た光束を撮像素子（ＣＣＤカメラ）１５に入射させ、多分割受光素子１１の受光部において形成される光学像を撮像素子１５によって撮像する。このとき、多分割受光素子１１は設置しない。
【００３９】
撮像素子１５からの出力画像は、演算手段となる画像処理部１６に送られるとともに、モニター１７によって表示される。画像処理部１６における演算結果は、位置調整部１８に送られる。この位置調整部１８は、画像処理部１６から送られた演算結果に基づいて、調整駆動機構部１９を制御し、この調整駆動機構部１９を介して、ホログラム素子１０を移動操作し、このホログラム素子１０の位置を調整する。
【００４０】
図４は、撮像素子からの出力画像及びこの画像内における光強度検出領域を示す正面図である。
【００４１】
撮像素子１５からの出力画像においては、図４に示すように、ホログラム素子１０によって分割された光束が形成する光スポットが表示される。そして、画像処理部１６により、多分割受光素子１１の受光部に対応した領域Ｌ１，Ｌ２，Ｒ２，Ｒ１が矩形領域として示される。
【００４２】
プッシュプル（ＰＰ）信号のバランスについて調整するには、光ディスクの記録トラックに対するラジアル方向に対応する方向（図４における左右方向）について、ホログラム素子１０の位置（バランス）を調整する。
【００４３】
すなわち、画像処理部１６は、多分割受光素子１１の受光部に対応した領域Ｌ１，Ｌ２，Ｒ２，Ｒ１内における光強度ｌ１，ｌ２，ｒ２，ｒ１を演算する。また、画像処理部１６は、これら光強度ｌ１，ｌ２，ｒ２，ｒ１に基づいて、〔ｌ１＋ｒ１〕，〔ｌ２＋ｒ２〕を演算する。
【００４４】
位置調整部１８は、〔Ｃ＝（ｌ１＋ｒ１）−（ｌ２＋ｒ２）〕を演算し、Ｃ＝０となるように、ホログラム素子１０の領域分割線の位置調整を行う。このような調整により、ホログラム素子１０の領域分割線により、光ディスクからの反射光のファーフィールドパワーを左右に２分割して検出することとなり、「ＭＰＰ信号」はバランスの取れた信号となる。なお、このＣの値と、ホログラム素子１０の位置（左右）との関係は、以下の〔表１〕に示すようになる。
【００４５】
【表１】
2006302455.tif 000003
【００４６】
図５は、プッシュプル信号のバランスについての調整の手順を示すフローチャートである。
【００４７】
この調整においては、ステップｓｔ１で調整を開始し、ステップｓｔ２において、Ｃ（＝（ｌ１＋ｒ１）−（ｌ２＋ｒ２））が０であるかを判別し、０であれば、ステップｓｔ３に進んで調整を終了する。ステップｓｔ２において、Ｃが負であれば、ステップｓｔ４に進んでホログラム素子１０を右側に移動させ、ステップｓｔ２に戻る。ステップｓｔ２において、Ｃが正であれば、ステップｓｔ５に進んでホログラム素子１０を左側に移動させ、ステップｓｔ２に戻る。
【００４８】
なお、多分割受光素子１１は、３ビーム用のサブビームの光スポットも検出するため、光ディスクの記録トラックに対するラジアル方向に直交する方向（図４における上下方向）、すなわち、記録トラックに平行な方向にサブビーム用の受光部がある。
【００４９】
また、メインビーム用の受光部は、スポットサイズと略同程度の大きさとなっている。多分割受光素子１１において、受光部の周辺部では、急峻に光感度が変化するわけではなく、なだらかな特性なので、受光部の範囲及び寸法は、実効的な値である。メインビーム用の受光部の寸法は、スポットサイズ（ＳＳＤ）検出の特性に基づいて設計される。
【００５０】
図６は、ホログラム素子が高さ方向にずれている場合の各光束の形成する光スポットの状態を示す正面図である。
【００５１】
ところで、プッシュプル（ＰＰ）信号のバランスについては、前述のように、光ディスクの記録トラックに対するラジアル方向に対応する方向（図４における左右方向）についてのホログラム素子１０の位置（バランス）を問題としている。しかし、ホログラム素子１０における回折パターンの中心と、反射光の中心との高さ（記録トラックに平行な方向の位置）が一致していないと、図６に示すように、このホログラム素子１０中央部と外縁側とで、逆回転のパターン移動が発生する。この場合、多分割受光素子１１の受光部の実効的な寸法が光スポットと略同じであるため、光スポットが移動すると、この光スポットが多分割受光素子１１の受光部からはみ出す「けられ」が発生することがある。このような「けられ」は同一方向ではなく、ホログラム素子１０により分割された各光束について互い違いの方向に発生する。このような「けられ」が発生すると、光ディスクのビット形状が変化したときには、光ディスクからの読取り信号の波形が変化すると考えられる。
【００５２】
例えば、「ＤＶＤ−ＲＯＭ」では、基本的に、ビットの深さは、読取り光の波長λの〔１／４〕とされているが、市場では、ピットの深さが異なる光ディスクが存在している。そのため、光ピックアップの品質の確認として、条件の厳しいテストディスクをかけて正常な再生ができるかを検査している。このなかで、ビットの深さがλ／８に近くなっているディスクをかけると、ジッタ特性が極端に劣化する場合がある。この原因をホログラム素子１０の位置調整と関連付けるため、多分割受光素子１１の受光部上に照射される光スポットのパターンが、ビットの深さによってどのように変わるかを計算した。
【００５３】
図７は、深さの異なる２種類のビットをスキャンしたときの反射光のファーフィールドパターンを示す正面図である。
【００５４】
この図７に示すように、ピットの深さがλ／４である場合には、反射光のファーフィールドパターンは点対称となるが、ピットの深さがλ／８である場合には、反射光のファーフィールドパターンは、点対称にはならない。ここで、前述したような、光束ごとに互い違いの「けられ」が発生すると、信号成分が十分に検出できないことになる。すなわち、「けられ」があるときの再生波形を、ビットの深さを違えて計算すると、ピットの深さがλ／４のときは、反射光のファーフィールドパターンの分布が点対称であるため、ジッタの劣化は起きない。これに対し、ピットの深さがλ／８のときは、反射光のファーフィールドパターンの分布が非対称となるため、光スポット内にビットが入ってくるときと、光スポットからビットが出てゆくときとで、「けられ」の影響が異なる。したがって、深さがλ／４のビットと同じスポット位置であっても、深さがλ／８のビットでは、エッジが立ち上がりか下がりかによって、電気信号のレベルが異なるので、波形を２値化データに変換するときに、位相が変化してしまい、ジッタの劣化となる。
【００５５】
図８は、簡単なビット列をスポットがスキャンし、反射光にマスクを入れて「けられ」を生じさせたときの検出波形を示すグラフである。
【００５６】
ピットの深さがλ／４のときには、「けられ」があっても、ビットの立ち上がり及び立下りが同じパターンであるため、同様の劣化となり、ジッタは極端には劣化しない。しかし、ピットの深さがλ／８のときには、反射光のファーフィールドパターンの分布が対称でないため、図８に示すように、「けられ」により、立ち上がり及び立下りの信号レベルが異なり、ジッタが極端に悪化する。
【００５７】
なお、図８は、ピットの深さとファーフィールドパターンの変化を示しており、深さがλ／４のピットと深さがλ／８のピットについて、「けられ」の有無により読み取り信号を計算し、各条件での信号を２値化するため、３Ｔ波形の中央にスレーショールドレベル（図８中のＡ，Ｂ，Ｃ，Ｄ）を設定する。深さがλ／４のピットでは、信号の立ち上がり下がりの位相差は、図８中の(1)〜(4)に示すように、少なくなっている。深さがλ／８のピットでは、立ち上がり位相（図８中の(5)、(6)）について位相差があり、立ち下がり位相（図８中の(7)、(8)）については位相差が少ない。この結果、片方のエッジのジッタが劣化する。このように、ピットの深さによって、「けられ」の影響が異なり、特に、ピットの深さがλ／８に近い場合には、反射光のファーフィールドパターンが非対称な分布となり、「けられ」により立ち上がりと立下り波形が異なることになるので、このような「けられ」を発生させないように調整することが必要である。
【００５８】
図９は、撮像素子からの出力画像及びこの画像によりホログラム素子の高さ方向の位置調整を行っている状態を示す正面図である。
【００５９】
このような「けられ」を無くすためには、多分割受光素子１１の受光部上の各光スポットが、一つの直線上にあるように調整する必要がある。分布を最適に調整するためには、ホログラム素子１０の高さ方向の位置を画像を見ながら調整する。すなわち、図９に示す調整用画面において、光スポットの横方向の配列が、一つの直線上になるように、ホログラム素子１０の高さ方向の位置を調整すればよい。
【００６０】
ホログラム素子１０の高さが反射光の中心に対して不一致である場合には、光スポットの上下位置（記録トラックに平行な方向の位置）がずれるため、多分割受光素子１１の各受光部に相当する領域を上下に２分割することにより判断することができる。
【００６１】
すなわち、各受光部における上側の領域Ｌ１Ｕ，Ｌ２Ｕ，Ｒ２Ｕ，Ｒ１Ｕからの光検出出力をｌ１ｕ，ｌ２ｕ，ｒ２ｕ，ｒ１ｕとし、下側の領域Ｌ１Ｄ，Ｌ２Ｄ，Ｒ２Ｄ，Ｒ１Ｄからの光検出出力をｌ１ｄ，ｌ２ｄ，ｒ２ｄ，ｒ１ｄとし、以下のＡ，Ｂの演算を行なう。
【００６２】
Ａ＝（ｌ１ｕ＋ｒ１ｄ）−（ｌ１ｄ＋ｒ１ｕ）
Ｂ＝（ｌ２ｕ＋ｒ２ｄ）−（ｌ２ｄ＋ｒ２ｕ）
ここで、Ａ，Ｂそれぞれが０になれば、上下方向の光強度分布がバランスしている状態である。したがって、〔Ａ−Ｂ＝０〕とすること目標として、ホログラム素子１０の高さを調整すればよい。なお、これらＡ，Ｂの値と、ホログラム素子１０の高さ位置（上下）との関係は、以下の〔表２〕に示すようになる。
【００６３】
【表２】
2006302455.tif 000004
【００６４】
図１０は、ホログラム素子の高さ位置の調整の手順を示すフローチャートである。
【００６５】
この調整においては、ステップｓｔ１１で調整を開始し、ステップｓｔ１２において、Ａ−Ｂが０であるかを判別し、０であれば、ステップｓｔ１３に進んで調整を終了する。ステップｓｔ１２において、Ａ−Ｂが負であれば、ステップｓｔ１４に進んでホログラム素子１０を下側に移動させ、ステップｓｔ１２に戻る。ステップｓｔ１２において、Ａ−Ｂが正であれば、ステップｓｔ１５に進んでホログラム素子１０を上側に移動させ、ステップｓｔ１２に戻る。
【００６６】
また、各光束の光スポットの重心を計算し、これら重心の近似直線が、多分割受光素子１１の受光部と平行な直線上にあるかを判断することによって、ホログラム素子１０の高さ位置をするようにしてもよい。
【図面の簡単な説明】
【００６７】
【図１】本発明に係る光ピックアップ調整装置により製造される光ピックアップの構成を示す斜視図である。
【図２】前記光ピックアップのホログラム素子における光路を示す側面図である。
【図３】本発明に係る光ピックアップ調整装置によりホログラム素子の位置を調整する状態における構成を示すブロック図である。
【図４】本発明に係る光ピックアップ調整装置における撮像素子からの出力画像及びこの画像内における光強度検出領域を示す正面図である。
【図５】本発明に係る光ピックアップ調整装置において、プッシュプル信号のバランスについての調整の手順を示すフローチャートである。
【図６】本発明に係る光ピックアップ調整装置において、ホログラム素子が高さ方向にずれている場合の各光束の形成する光スポットの状態を示す正面図である。
【図７】深さの異なる２種類のビットをスキャンしたときの反射光のファーフィールドパターンを示す正面図である。
【図８】簡単なビット列をスポットがスキャンし、反射光にマスクを入れて「けられ」を生じさせたときの検出波形を示すグラフである。
【図９】本発明に係る光ピックアップ調整装置における撮像素子からの出力画像及びこの画像によりホログラム素子の高さ方向の位置調整を行っている状態を示す正面図である。
【図１０】本発明に係る光ピックアップ調整装置において、ホログラム素子の高さ位置の調整の手順を示すフローチャートである。
【符号の説明】
【００６８】
１  半導体レーザ
３  偏光ビームスプリッタ
９  対物レンズ
１０  ホログラム素子
１１  多分割受光素子
【図１】
2006302455.tif 000005
【図２】
2006302455.tif 000006
【図３】
2006302455.tif 000007
【図４】
2006302455.tif 000008
【図５】
2006302455.tif 000009
【図６】
2006302455.tif 000010
【図７】
2006302455.tif 000011
【図８】
2006302455.tif 000012
【図９】
2006302455.tif 000013
【図１０】
2006302455.tif 000014